(57)【要約】【課題】フローの状態および周波数の状態に基づく登録の始動を使用する、同報マルチキャスト・サービスをサポートするネットワーク内で移動局の登録を始動させる方法を提供する。【解決手段】例えば、移動局によってモニタされる第１の周波数から第２の周波数への周波数の変更に基づいて登録メッセージが作り出される。もしも第２の周波数が、前に移動局によってネットワークで登録されたフロー識別子情報に基づいて未知である場合、ネットワークへの登録が始動させられる。登録を送信することによって、登録メッセージが所定の周波数上での移動局の存在を示すのでネットワークが単一のその所定の周波数上で移動局を無線呼び出しすることが可能である。【選択図】図１
2005117649.tif 000002
【特許請求の範囲】
【請求項１】
同報マルチキャスト・サービスをサポートするネットワーク内で移動局の登録を始動させる方法であって、
移動局によって前にネットワークで登録されたフロー識別子情報に基づいて第２の周波数がネットワークに未知であるときには、移動局によってモニタされる周波数の第１の周波数から第２の周波数への変更に基づいて登録メッセージを作り出す工程を含む方法。
【請求項２】
基地局を無線呼び出しする方法であって、
移動局から受信された所定の周波数上での移動局の存在を示す登録メッセージに基づいてその所定の周波数上で移動局を無線呼び出しする工程を含み、
移動局によって前にネットワークで登録されたフロー識別子情報に基づいて第２の周波数がネットワークに未知であるときには、移動局によってモニタされる周波数の第１の周波数から第２の周波数への変更に基づいて前記登録メッセージが作り出される方法。
【請求項３】
フロー識別子情報が、前に移動局がネットワークで登録した同報マルチキャスト・サービスのフローＩＤであることを特徴とする請求項１または２のいずれか１項に記載の方法。
【請求項４】
移動局によってモニタされる第１または第２の周波数が、移動局によって受信される同報マルチキャスト内容の周波数であることを特徴とする請求項１または２のいずれか１項に記載の方法。
【請求項５】
登録メッセージを作り出す工程が、移動局が
第１の周波数から第２の周波数へと変更を行ない、
移動局による第２の周波数のモニタリングの存在が、前に移動局がネットワークで登録した同報マルチキャスト・サービスのフロー識別子に基づいてネットワークに既知であるかを判定し、
同報マルチキャスト・サービスのフロー識別子に基づく既知の周波数に第２の周波数が対応しないときには、登録メッセージをネットワークへと送信する工程を含むことを特徴とする請求項１または２のいずれか１項に記載の方法。
【請求項６】
ネットワークで移動局によってモニタされている同報マルチキャスト内容の周波数を判定する方法であって、
前に移動局によってネットワークで登録されたフロー識別子情報に基づいてネットワークに未知である、移動局によってモニタされる周波数の変更に基づいて登録メッセージを移動局で生成する工程、および
移動局によってモニタされている更新された周波数を前記生成した登録メッセージから判定する工程を含む方法。
【請求項７】
フロー識別子情報が、移動局が前にネットワークで登録した同報マルチキャスト・サービスのフロー識別子である、請求項６に記載の方法。
【請求項８】
移動局によってモニタされる周波数が登録メッセージ中に含まれる、請求項６に記載の方法。
【請求項９】
登録メッセージを作り出す工程が、移動局が
第１の周波数から第２の周波数へと変更を行ない、
移動局による第２の周波数のモニタリングの存在が、前に移動局がネットワークで登録した同報マルチキャスト・サービスのフロー識別子に基づいてネットワークに知られているかどうかを判定し、
もしも同報マルチキャスト・サービスのフロー識別子に基づいて知られている周波数に第２の周波数が対応しなければ登録メッセージをネットワークへと送信する工程を含む、請求項６に記載の方法。
【発明の詳細な説明】
【技術分野】
【０００１】
本発明は、概して、無線通信システムに関する。
【背景技術】
【０００２】
現在の第２世代および第３世代の無線システムは主としてユニキャスト(unicast)の音声およびデータのサービスをサポートするように設計される。エンドユーザに対するこれらユニキャスト・サービスの支援は無線およびネットワーク技術の様々な進歩を通じて達成されてきた。３ＧＰＰおよび３ＧＰＰ２といった国際規格化機関の現在の注目は、発展するネットワークにわたってＢｒｏａｄｃａｓｔ−Ｍｕｌｔｉｃａｓｔ  Ｓｅｒｖｉｃｅｓ（ＢＣＭＣＳ）のサポートを可能にするプロトコルと手法の設計にある。ＢＣＭＣＳは単一ストリーム情報を多数の受信者に同時に配信することによってトラフィックを削減する帯域幅節約型の技術である。これらのサービルの範例は音声送信またはプレストーク（Ｐress-Ｔo-Ｔalk：ＰＴＴ）タイプのサービス、同報／マルチキャストのストリーミングなどを含む。
【０００３】
最近の産業界の関心はＰｕｂｌｉｃ  Ｓａｆｅｔｙ  Ｗｉｒｅｌｅｓｓ  Ｎｅｔｗｏｒｋ（ＰＳＷＮ）に向けられており、そこでは無線リソース管理の観点からＢＣＭＣＳの支援が特に重要になる可能性がある。ＢＣＭＣＳの内容の構築と配信で少ない遅延を達成し、マルチキャスト・グループの数および／またはマルチキャスト・グループ当たりのユーザの数の観点で拡張可能性を提供し、進歩したサービスの利用可能性（例えば多数のＢＣＭＣＳのストリームから内容をモニタ／抽出する可能性）を提供し、そしてフォワード・リンク（forward link)（基地局から移動局へ）またはリバース・リンク(reverse link)（移動局から基地局へ）のうちの一方あるいは両方で不必要なトラフィックを削減するために、無線リソース管理の手法が必要とされる可能性がある。
【０００４】
フォワードおよび／またはリバース・リンク上のトラフィックを削減する努力の中で、上述の無線リソース管理の手法は、周波数および／またはＢＣＭＣ内容のフローに関して移動局によって認められた変化をネットワークに通知するためにＢＣＭＣＳを利用可能な移動局によってリバース・リンク上で送られる必要のある登録（例えば移動局によってモニタされている周波数を示すメッセージ）の数を削減するための手法を含む。例えば、移動局が現在モニタしている周波数の正確な情報がない場合、ネットワークは通常移動局がユニキャストの無線呼び出し(paging)もしくは発呼のためにモニタするであろう移動局のホームまたはハッシュ周波数(hash-to frequency)に加えてすべてのＢＣＭＣＳ周波数で（ユニキャスト・サービスのために）無線呼び出しを行ない、フォワード・リンク上の無線呼び出し負荷に対する大幅な追加を必要とする可能性がある。付け加えると、例えば移動局が異なる周波数または異なるＢＣＭＣＳフローをモニタするケースでは、移動局はリバース・リンク上でネットワークに登録を送信しなければならない可能性がある。もしも登録が必要でない場合、登録は不必要なトラフィックと見なされることが可能となり、リバース・リンクを塞ぐことが可能である。したがって、ＢＣＭＣＳ利用可能な移動局に関する登録の始動は、移動局によってモニタされている現在の周波数をネットワークが判定することを可能にするように展開されることが必要となる可能性がある。
【発明の開示】
【発明が解決しようとする課題】
【０００５】
評価されている登録の手法は、フロー・ベースの登録「始動」と称されるフローに基づく登録手法、周波数ベースの登録「始動」と称される移動局によって受信されるＢＣＭＣＳ内容の周波数に基づく登録手法を含む。フロー・ベースの登録に関すると、移動局が或るＢＣＭＣＳフローから他のＢＣＭＣＳフローへと同調をとるときはいつでも、移動局は登録メッセージをネットワークに通知する。もしも１つまたは複数の移動局がＢＣＭＣＳフロー間の切り換えを同じ周波数で定常的に行なっていると、フロー・ベースの登録手法単独の使用は結果的に、過剰のスプリアス登録がリバース・リンク上でネットワークへと送信されることにつながる可能性がある。周波数ベースの登録に関し、移動局が或る周波数から他の周波数へと同調をとるときはいつでも、移動局は登録メッセージをネットワークに送る。周波数ベースの登録手法単独の使用は結果的に、単一のＢＣＭＣＳフローをモニタ時に異なる周波数へのいくつかの使用されていないハンドオフ（例えば、第１のセクタで移動局にサービス提供している基地局から、移動局が第２のセクタに移動すると移動局にサービス提供することになる第２の基地局へのハンドオフ）に直面している移動局から由来する過剰の登録につながる可能性がある。
【課題を解決するための手段】
【０００６】
本発明の範例の実施形態は、同報のマルチキャスト・サービスをサポートするネットワークの中でフローの状態と周波数の状態に基づいて移動局の登録を始動させる方法に向けられる。例えば、登録メッセージは移動局によってモニタされる周波数の第１の周波数から第２の周波数への変更に基づいて作り出されることが可能である。もしも第２の周波数が、移動局によって前にネットワークで登録されたフロー識別子情報に基づいてネットワークに知られていることがない場合、ネットワークへの登録が始動される。登録を送信することによってネットワークは単一の所定の周波数で基地局を無線呼び出しすることが可能であるが、なぜならば登録メッセージがその移動局のその所定の周波数上での存在を示すからである。
【発明を実施するための最良の形態】
【０００７】
本発明の範例の実施形態は本明細書に与えられる以下の詳細な説明、および類似した素子が類似した参照番号で表わされた添付の図面からさらに充分に理解されるであろう。それらは単に具体的例示の方式で与えられ、したがって本発明の範例の実施形態を限定するものではない。
【０００８】
以下の説明はＢｒｏａｄｃａｓｔ−Ｍｕｌｔｉｃａｓｔ  Ｓｅｒｖｉｃｅｓ（ＢＣＭＣＳ）を支援する一般的な無線通信ネットワークもしくはシステムを基にして説明され、この範例の背景で述べられるであろうが、ここで示され、かつ述べられる範例の実施形態が具体的例示に過ぎず、いかなる方式で限定するものでもないことは気付かれるはずである。したがって、例えば現在ＢＣＭＣＳをサポートするかまたはサポートするように構成される可能性があり、かつ本教示で検討される３Ｇ−１ｘＥＶ−ＤＯ、３Ｇ−１ｘＥＶ−ＤＶおよびＵＭＴＳ技術に基づいた無線通信システムもしくはネットワークへの応用に関する様々な変形例は当業者にとって明らかであろう。
【０００９】
さらに、以下で使用される場合、「移動局」はユーザの機器、加入者、ＢＣＭＣＳ利用可能な移動局、ＢＣＭＣＳ加入者、ユーザ、遠隔局、アクセス端末などと同義に考えられることが可能であり、無線通信ネットワークの無線リソースの遠隔ユーザを述べる。ＢＣＭＣＳのＢＣＭＣＳ利用可能移動局のグループはときには簡潔さを目的として「ＢＣＭＣグループ」または「マルチキャスト・グループ」と称される可能性がある。「基地局」という用語はノードＢと考えられることが可能であり、ネットワークと１つまたは複数の移動局の間のデータ接続を提供する設備を述べる。システムまたは（アクセス・ネットワークといった）ネットワークは１つまたは複数の基地局を含む可能性がある。
【００１０】
さらに、範例のＢＣＭＣＳフローの観点で内容もしくはデータ・フローが以下に述べられる。しかしながら、範例の実施形態はＢＣＭＣＳに限定されず、単にＢＣＭＣＳフローではなくいずれのタイプのデータ・フローもしくは内容も受信するように移動局が周波数を変更するときにネットワークに通知する工程に向けられる。
【００１１】
ＢＣＭＣＳのような一点から多点へのサービスは単一の供給源実体が多数のエンドポイントへとデータが送信されることを可能にする。ＢＣＭＣＳは無線チャネルにわたるデータ送信に無線／ネットワークのリソースを効率的に使用することを意図されている。データはネットワークによって規定される通りにマルチキャスト範囲へと送信されることが可能である。ネットワークは、ＢＣＭＣＳ利用可能移動局のＢＣＭＣグループといったマルチキャスト・グループのメンバーを含むマルチキャスト範囲内のセクタ上にＢＣＭＣＳ内容を選択的に送信することが可能である。
【００１２】
ユーザによって受信されるＢＣＭＣＳは１つまたは複数の連続的なマルチキャスト・セッションを含むことが可能である。例えば、ＢＣＭＣＳは単一の連続的なセッション（例えばマルチメディア・ストリーム）から成る可能性があり、あるいは長期間にわたるいくつかの断続的なセッション（例えばメッセージ）を含むことも可能である。ＢＣＭＣＳを活用し、それゆえに本発明の範例の実施形態を活用する応用例は、限定はされないが音声送信もしくはプレストーク（ＰＴＴ）タイプのサービス、同報／マルチキャストのストリーミング、テレビ会議、企業情報活動、通信教育、オンライン入札、オンライン・ゲームとソフトウェアの配給、株式市況、およびニュースなどを含む。
【００１３】
無線通信システムでは、システム・パラメータおよびオーバヘッド・メッセージの更新を示すためにネットワークは多くの場合、移動局を無線呼び出し(paging)する能力を有する。ユニキャスト・サービスに関すると、通常では移動局は移動局とネットワークの両方に知られている「ハッシュ周波数」としばしば称されるホーム周波数をモニタし、それにより、ネットワークが単一の周波数で移動局を無線呼び出しすることを可能にする。ＢＣＭＣＳの背景では、移動局はそのホーム周波数と同じ周波数上に搬送されないＢＣＭＣＳ内容をモニタしている可能性がある。移動局が無線呼び出しのためのそのホーム周波数をモニタすることを必要とすると、ＢＣＭＣＳ内容のための異なる周波数が無効であり、サービスの途絶に結びつく可能性がある。その結果、ＭＳがモニタしているＢＣＭＣＳ内容に対応する周波数でネットワークが移動局を無線呼び出しすることがさらに望ましい。
【００１４】
しかしながら、ＢＣＭＣＳの背景状況では、移動局がモニタしているＢＣＭＣＳ内容に対応する周波数で移動局を無線呼び出しすることは容易に達成されない可能性がある。これは移動局が様々なＢＣＭＣＳ内容のモニタを動的に決定する可能性があり、かつ各々のＢＣＭＣＳ内容が異なる周波数上に送信される可能性があるためである。
【００１５】
その結果、無線呼び出しに関して２通りの選択肢があり得る。第１に、多様な周波数上に搬送される多様なＢＣＭＣＳフローを動的にモニタする移動局に伴う曖昧さに起因して、ネットワークはＢＣＭＣＳを受信契約している移動局を多数の周波数（おそらく全周波数）にわたって無線呼び出しすることを選択する可能性がある。これはフォワード・リンク上の大幅な無線呼び出し負荷につながる可能性がある。場合によっては、移動局は現在モニタしている特定のＢＣＭＣＳ内容もしくは周波数を示す登録をネットワークに送信する可能性がある。ここでは、「登録」という用語は包括的様式で使用される可能性がある。登録は移動局からネットワークへと送られる、単純に新たな周波数を示す短いメッセージである可能性があり、あるいは別の既にあるメッセージへのピギーバックであることも可能である。その後、ネットワークは移動局がモニタしている周波数を追尾することが可能であり、その周波数単独で無線呼び出しを送信することが可能である。しかしながらこの後者の無線呼び出し選択肢では、リバース・リンクの登録が制限され、かつリバース・リンク上の不必要な干渉およびトラフィックを生じさせるほどリバース・リンクに過剰に重い負担をかけないように手法が慎重に設計されなければならない。
【００１６】
本発明の範例の実施形態はネットワーク内の移動局の登録を始動させる方法を導入し、それは移動局によってモニタされている同報マルチキャスト内容の周波数をネットワークが判定することを可能にし、それゆえに、分かっている所定の周波数でネットワークが移動局を無線呼び出しすることを可能にする。登録はフローの変更と周波数の変更の両方に基づいて始動されることが可能であり、それゆえに、例えば「混成登録」システムと称される始動ルーチンもしくは技術であることが可能である。概して、登録メッセージは周波数の変更のようなきっかけに基づいて作り出される可能性がある。これは、例えば移動局によってモニタされる第１の周波数から第２の周波数への変更であることが可能であり、移動局によって前にネットワークで登録されたフロー識別子情報から第２の周波数がネットワークに知られていることがない場合に登録が作り出される。それゆえに、登録の始動はフローの状態と周波数の状態に基づく可能性がある。
【００１７】
図１Ａおよび１Ｂは、同じセクタ内のＢＣＭＣ内容のフローの間で同調をとる移動局について登録のシナリオを例示する図である。図１Ａを参照すると、例えばセクタＡで同報マルチキャスト・サービスとも称されるＢＣＭＣ内容を受信している移動局（ＭＳ）が示されている。ＭＳは同じ周波数の２つの同報マルチキャスト・サービスの間で同調をとっている。例えば周波数ｆｘでＭＳはＢＣＭＣＳフロー１を受信しており、その一方で同じ周波数ｆｘをモニタしており、ＭＳはＢＣＭＣＳフロー２のモニタリングへと切り換える。フロー・ベースの登録システムでは、ＢＣＭＣＳフロー１を聴取していることを前にネットワークに通知したＭＳはＢＣＭＣＳフロー１のモニタリングを停止してＢＣＭＣＳフロー２をモニタし始めたことを告げるためにネットワークに登録を送信するであろう。周波数ベースの登録システムでは、（前に周波数ｆｘでフローを聴取していることをネットワークに通知した）ＭＳは、ＭＳによってモニタされている周波数は変わらなかったのでＢＣＭＣＳフロー２をモニタし始めるときに追加的な登録は送信しないであろう。
【００１８】
フローと周波数の両方を要因とする本発明の範例の実施形態による登録始動の方法では、上述のシナリオはＭＳからネットワークへと送信される登録を始動させない。登録を始動させる本方法はフローと周波数に対する変更に基づいているので、範例の実施形態による登録始動のシステムは明瞭化するため、およびフロー・ベースおよび周波数ベースの登録システムから区別するためにこれ以降は「混成」登録システムと称される可能性がある。したがって、図１Ａの範例では、混成登録システムおよび周波数ベースの登録システムはフローのきっかけに基づく登録（例えばフロー・ベースの登録システム）よりも少数の登録が送信されることに結びつく。
【００１９】
図１Ｂは異なる周波数上の２つのＢＣＭＣＳフローの間で同調をとっている移動局を例示している。図１Ｂに示されるように、ＭＳは初期的には特定の周波数上のＢＣＭＣＳフロー１をモニタし、その後、異なる周波数上に搬送されるＢＣＭＣＳフロー２をモニタし始める。フロー・ベース、周波数ベース、および混成登録技術のいずれでも、ＭＳはネットワークに登録を送信するであろう。したがって、上記のシナリオでは混成登録はフローおよび周波数ベースの登録技術と同じ数の登録に結びつく。
【００２０】
図２Ａ〜２Ｄは、移動局がセクタ間で空きハンドオフを実行するときの登録のシナリオを例示する図である。図２Ａ〜２Ｄは、リバース・リンク上で移動局からネットワークへと送信されるさらに少数の登録メッセージにどのようにして範例の実施形態による登録始動が結びつくかを例示するために４通りの異なるケースを提供する。
【００２１】
ここで図２Ａを参照すると、ＭＳはセクタＡ内で周波数ｆｘ上のＢＣＭＣＳフロー１をモニタすると登録され、フローをモニタしながら空きハンドオフを実行する。空きハンドオフは以下のように簡単に説明されることが可能である。すなわち、セクタＡでＢＣＭＣＳフロー１をモニタするＭＳがセクタＢへと移動するが、しかしセクタＢ内でなおＢＣＭＣＳフロー１を聴取することを希望し、その結果、セクタＡとＢの間で「空きハンドオフ」がＭＳによって実行されなければならない。要約すると、移動局が或る基地局のカバレージエリアから他の基地局へと空き状態の間に移動するときに空きハンドオフが生じる。このシナリオでは、ＢＣＭＣＳフロー１は新たなセクタＡ内で同じ周波数ｆｘ上に搬送される。ＭＳはセクタＡからセクタＢへとハンドオフしているが、しかし周波数またはフローに変更はない。フロー・ベース、周波数ベース、および混成登録技術のいずれでも、ネットワークへの登録メッセージが始動させられることはない。
【００２２】
ここで図２Ｂを参照すると、ＭＳはセクタＡ内で周波数ｆｘ上のＢＣＭＣＳフロー１をモニタすると登録され、フローをモニタしながら空きハンドオフを実行する。しかしながら前のシナリオと違って、ＢＣＭＣＳフロー１はセクタＢ内で異なる周波数ｆｙ上に搬送される。
【００２３】
周波数ベースの登録システムは登録を始動させ、ＭＳは周波数の変更に起因して登録メッセージをネットワークに送信するであろう。しかしながら、ネットワークによって感知されるとき、分かっているフローに変更がなかったので、ここで述べられる混成登録方法では、ＭＳがフロー・ベースの始動だけに基づく登録で構成される場合のケースのように登録は送信されない。したがって、フロー・ベースおよび混成登録は図２Ｂに示されたこのシナリオでは周波数ベースの登録よりも少数の登録に結びつく。
【００２４】
図２Ｃを参照すると、ＭＳはセクタＡ内で周波数ｆｘ上のＢＣＭＣＳフロー１をモニタすると登録され、同じ周波数ｆｘ上でＢＣＭＣＳフロー２をモニタしながらセクタＢへの空きハンドオフを実行する。したがって、ＢＣＭＣＳフロー２は新たなセクタＢ内で同じ周波数ｆｘに搬送される。フロー・ベースの登録システムは図２Ｃのシナリオでは利用不可能であろうが、なぜならばそれが異なるフロー、ＢＣＭＣＳフロー２をモニタし始めるときにネットワークで登録されているからである。周波数に変更がなかったので、周波数ベースおよび混成登録システムは登録メッセージが送信されない結果を生じるであろう。
【００２５】
図２Ｄを参照すると、ＭＳはセクタＡ内で周波数ｆｘ上のＢＣＭＣＳフロー１をモニタすると登録される。その後、ＭＳはやはりセクタＡの周波数ｆｘ上に搬送されるＢＣＭＣＳフロー２をモニタしながらセクタＡからセクタＢへと空きハンドオフを実行する。しかしながら、セクタＢではフロー２が異なる周波数ｆｙ上に搬送される。やはり、ＢＣＭＣＳフロー２をモニタしているＭＳはＢＣＭＣＳフロー１をモニタするように登録されることが可能ではないので、フロー・ベースの登録システムは利用不可能である。周波数ベースおよび混成登録技術の両方が、周波数の変更に起因してＭＳからネットワークへの登録を始動させるであろう。
【００２６】
下記の表１は、フロー・ベースの登録始動単独、または周波数ベースの登録始動単独を基本とする移動局の登録を始動させる手法を上回る混成登録の利点のいくつかを強調するために図１Ａから２Ｄに述べられたシナリオの結果を要約している。
【表１】
2005117649.tif 000003
【００２７】
表１を参照すると、フロー・ベースの登録システム単独の使用は図１Ａに示されたシナリオによって示されるようにスプリアス登録が送信される原因になる可能性がある。周波数ベースの登録システム単独の使用もまた、セクタ間のハンドオフ時にフローは変わらないが特定のフローが搬送される周波数が変わった図２Ｂに示されたシナリオのようなスプリアス登録が送信される原因になる可能性がある。したがって、範例の実施形態による混成登録はさらに少数の登録を結果的に生じ、リバース・リンク上の不必要なトラフィックを削減する。
【００２８】
付け加えると、移動局によってモニタされる周波数は登録メッセージ内に明白に示されるか、または類推されることが可能である（例えば移動局は登録する予定のフローを示し、ネットワークはそのフローが搬送される周波数を知っているので、したがって移動局がモニタする周波数が知られる）かのいずれかであるので、移動局は（登録の欠如した場合の）多数の周波数とは対照的に単一の周波数上で無線呼び出しされることが可能である。したがって、フォワード・リンク上の無線呼び出しの負荷は大幅に削減されることが可能である。登録メッセージは移動局によってモニタされる周波数の変更、すなわちｆｘからｆｙへの変更に基づいて作り出される。ｆｙは、移動局によって前にネットワークで登録されたＢＣＭＣＳフローＩＤのようなフロー識別子情報からネットワークに知られていることがないので、移動局は周波数の変更によって始動される登録を送信し、それにより、ネットワークは単一の周波数上でその移動局を無線呼び出しすることが可能となる。
【００２９】
したがって、移動局は周波数の変更に基づく登録メッセージを以下に従って生成する可能性がある。すなわち、（ａ）初期にｆｘをモニタする移動局がｆｙをモニタし始め、（ｂ）移動局によって受信されるＢＣＭＣＳフローが同報マルチキャスト・サービスのフロー識別子に基づいた既知の周波数（この範例ではｆｘ）に対応しないので、移動局がｆｙへと変更したことをネットワークが知らないことを判定し、（ｃ）その変更をネットワークに通知するために登録メッセージを送信し、それにより、周波数ｆｙ上で移動局がネットワークによって無線呼び出しされることが可能になる。
【００３０】
Ｂｒｏａｄｃａｓｔ  Ｓｅｒｖｉｃｅ  Ｐａｒａｍｅｔｅｒｓ  Ｍｅｓｓａｇｅ（ＢＳＰＭ）と称されるメッセージが運ぶものはＢＣＭＣＳ関連の信号情報を含む可能性があり、それは上述の混成登録手法を有効化するかまたは無効化するかのいずれかである。例えば、ＢＳＰＭは各々のセクタによって、フォワード・ページング・チャネル（Ｆ−ＰＣＨ）および／またはＦｏｒｗａｒｄ  Ｃｏｍｍｏｎ  Ｃｏｎｔｒｏｌ  Ｃｈａｎｎｅｌ／Ｆｏｒｗａｒｄ  Ｂｒｏａｄｃａｓｔ  Ｃｏｎｔｒｏｌ  Ｃｈａｎｎｅｌ（Ｆ−ＣＣＣＨ／Ｆ−ＢＣＣＨ）上でオーバヘッド・メッセージとして連続的に送信される可能性がある。移動局はＢＳＰＭを解読することで、例えばトラフィック・チャネル上でＢＣＭＣＳを受信するために必要とされる関連の信号情報を入手する。ＢＳＰＭは、例えば登録手法を有効化または無効化するように移動局に信号送信する１つまたは複数のインディケータ・ビットを含むことが可能であるが、本発明の範例の実施形態は、混成登録手法を有効化または無効化するように移動局に信号送信する別の方法を使用する可能性がある。
【００３１】
こうして本発明の範例の実施形態が説明されているが、それらが多くの方式で変形され得ることは明らかであろう。そのような変形例が本発明の範例の実施形態の精神と範囲から逸脱すると見なされることはなく、当業者にとって明らかであろうそのような改造例は添付の特許請求項の範囲内に含まれると意図される。
【図面の簡単な説明】
【００３２】
【図１】図１Ａ及び図１Ｂは、同じセクタ内の同報マルチキャスト・サービス内容フロー間で同調をとる移動局に関する登録のシナリオを例示する図である。
【図２】図２Ａ乃至図２Ｄは、移動局がセクタ間で空きハンドオフを実行するときの登録のシナリオを例示する図である。
【図１】
2005117649.tif 000004
【図２】
2005117649.tif 000005
【外国語明細書】
2005117649.tif 000006
2005117649.tif 000007
2005117649.tif 000008
2005117649.tif 000009
2005117649.tif 000010
2005117649.tif 000011
2005117649.tif 000012
2005117649.tif 000013
2005117649.tif 000014
2005117649.tif 000015
2005117649.tif 000016
2005117649.tif 000017
2005117649.tif 000018
2005117649.tif 000019
2005117649.tif 000020
2005117649.tif 000021
2005117649.tif 000022
2005117649.tif 000023